(57)【要約】【課題】室外側から開放制限装置における障子の室外側への開放量の制限を容易に解除できる開口部装置を提供する。【解決手段】開放制限装置５の先端部材８が、障子２の下框２ｂに着脱可能に取り付けられており、障子２に開放制限装置５の先端部材８を障子２から切り離す切離し機構１６が設けられ、さらに、障子２の室外側の部位に、切離し機構１６を操作する外部サムターン（操作部）２４が設けられているので、火災等の非常時には、消防隊員等が室外側から操作部２４によって切離し機構１６を操作して、開放制限装置５の先端部材８を障子２から切り離すことができ、よって、障子２の室外側への開放量の制限を容易に解除できる。【選択図】図４
2007162302.tif 000002
【特許請求の範囲】
【請求項１】
枠体に設けられた障子が軸を中心として回動することによって室外側に開く構造の開口部装置であって、
前記障子と枠体との間に、前記障子の室外側への開放量を制限する開放制限装置が配置されるとともに、この開放制限装置の一端部が前記障子に取り付けられ、他端部が前記枠体に取り付けられており、
前記開放制限装置の一端部は、前記障子に着脱可能に取り付けられており、
前記障子には、前記開放制限装置の一端部を前記障子から切り離す切離し機構が設けられており、
前記障子の室外側の部位には、前記切離し機構を操作する操作部が設けられていることを特徴とする開口部装置。
【請求項２】
前記開放制限装置の一端部は前記障子に、前記一端部に設けられた係合部を、前記障子に設けられた被係合部に係脱可能に係合することによって、着脱可能に取り付けられており、
前記係合部と被係合部との少なくともいずれか一方には、前記係合部を被係合部に係合した際に、前記開放制限装置の一端部を前記障子に引き寄せる引寄せ部が設けられていることを特徴とする請求項１に記載の開口部装置。
【発明の詳細な説明】
【技術分野】
【０００１】
本発明は、枠体に設けられた障子が軸を中心として回動することによって室外側に開く構造の滑り出し窓や開き窓等の開口部装置に関する。
【背景技術】
【０００２】
空気調整等建物内部の環境制御が整備されているホテル等の建物においては、環境制御上の理由、並びに防犯、安全上の理由により、平常時は窓が全開するのではなく、室外側への開放量を制限できる縦滑り出し窓や開き窓等が使用される場合が多い。
このような窓の一例として、上枠、下枠、および左右の縦枠からなる枠体と、該枠体に縦枠と平行な軸を中心に回動して室外側に開くように開閉自在に設けられた障子とを備えた窓（縦滑り出し窓や開き窓）が知られている（例えば、特許文献１参照）。
このような窓において、障子の室外側への開放量を制限するために、障子と枠体とに開放制限装置を取り付ける場合がある。
【０００３】
【特許文献１】特開２００５−３６３９８号公報
【発明の開示】
【発明が解決しようとする課題】
【０００４】
このような場合、開放制限装置は室内側からは、障子の室外側への開放量の制限を解除できるようになっているが、室外側からはこのような制限解除を行うことはできない。
したがって、火災等の非常時には、室外側から開放制限装置の制限解除を行ったり、制限解除ができなかった場合は、開放制限装置を破壊したり、窓ガラスを破壊するなどの作業が必要であり、手間がかかる場合がある。
【０００５】
本発明は上記事情に鑑みてなされたもので、室外側から開放制限装置における障子の室外側への開放量の制限を容易に解除できる開口部装置を提供することを目的とする。
【課題を解決するための手段】
【０００６】
前記目的を達成するために、本発明の請求項１に記載の開口部装置は、枠体に設けられた障子が軸を中心として回動することによって室外側に開く構造の開口部装置であって、
前記障子と枠体との間に、前記障子の室外側への開放量を制限する開放制限装置が配置されるとともに、この開放制限装置の一端部が前記障子に取り付けられ、他端部が前記枠体に取り付けられており、
前記開放制限装置の一端部は、前記障子に着脱可能に取り付けられており、
前記障子には、前記開放制限装置の一端部を前記障子から切り離す切離し機構が設けられており、
前記障子の室外側の部位には、前記切離し機構を操作する操作部が設けられていることを特徴とする。
【０００７】
また、請求項２に記載の開口部装置は、請求項１に記載の開口部装置において、
前記開放制限装置の一端部は前記障子に、前記一端部に設けられた係合部を、前記障子に設けられた被係合部に係脱可能に係合することによって、着脱可能に取り付けられており、
前記係合部と被係合部との少なくともいずれか一方には、前記係合部を被係合部に係合した際に、前記開放制限装置の一端部を前記障子に引き寄せる引寄せ部が設けられていることを特徴とする。
【発明の効果】
【０００８】
請求項１に記載の開口部装置によれば、開放制限装置の一端部が、障子に着脱可能に取り付けられており、障子に開放制限装置の一端部を前記障子から切り離す切離し機構が設けられ、さらに、障子の室外側の部位に、切離し機構を操作する操作部が設けられているので、火災等の非常時には、消防隊員等が室外側から操作部によって切離し機構を操作して、開放制限装置の一端部を障子から切り離すことができ、よって、障子の室外側への開放量の制限を容易に解除できる。
【０００９】
請求項２に記載の開口部装置によれば、開放制限装置の一端部に設けられた係合部を、障子に設けられた被係合部に係合した際に、引寄せ部によって開放制限装置の一端部を障子に引き寄せるので、開放制限装置の一端部が障子にガタツクことなく当接し、これによって障子のガタツキを防止できる。
【発明を実施するための最良の形態】
【００１０】
以下、図面を参照して本発明の実施の形態について説明する。
図１は本実施の形態の開口部装置を室内側から見た正面図である。この開口部装置は、例えば、鉄筋コンクリート製の建物躯体に形成された開口部に取り付けられるものであり、枠体１とこの枠体１の内部に設けられた障子２とを備えている。枠体１は上枠１ａ、下枠１ｂおよび左右の縦枠１ｃ，１ｄから構成されている。
障子２は、上框２ａ、下框２ｂおよび左右の縦框２ｃ，２ｄとから構成されており、その内側にはガラス板２ｅがはめ込まれている。
【００１１】
障子２は縦枠１ｃの近傍に設けられて、該縦枠１ｃと平行な鉛直軸３（図２参照）を中心として回動することによって、室外側に開くようになっている。また、図２に示すように、枠体１の下枠１ｂの左端部と障子２の下框２ｂの左端部とは連結アーム４によって連結されている。この連結アーム４は、障子２が室外側に開くにつれて、一端部に設けられた軸４ａを中心として水平面内で回動するとともに、他端部が障子２の下枠２ｂに、その長手方向に沿ってスライドするようになっており、障子２が室外側に９０°開いた際に、前記スライドが規制されて、障子２のそれ以上の開きを規制するようになっている。また、障子２によって枠体１の開口部が閉鎖された際には、枠体１の下枠１ｂと障子の下框２ｂとの間に収容されて隠蔽されるようになっている。
【００１２】
また、障子２の下框２ｂと枠体１の下枠１ｂとの間には、障子２の室外側への開放量を制限する開放制限装置５が配置されており、この開放制限装置５によって障子２の室外側への開放量が約１００mm程度に制限されている。なお、この開放量約１００ｍｍとは、障子２が開いた際における障子２の縦框２ｄと、枠体１の縦枠１ｄとの間の直線距離のことを言う。
【００１３】
以下、開放制限装置５の詳細について説明する。
開放制限装置５は、図３に示すように、開放制限装置本体６と、この開放制限装置本体６から突出している帯板状のアーム７と、このアーム７の先端部に設けられた先端部材８とを備えている。
前記開放制限装置本体６は、内部に軸方向に延在する空洞部を有する角棒状に形成されており、その基端部は取付座９に設けられた軸９ａに、該軸９ａ回りに回動可能に取り付けられている。取付座９は枠体１の下枠１ｂの上面にビス止めによって固定されたものである。
開放制限装置本体６の内部の空洞部には、先端面に形成された開口部から前記アーム７がその軸方向に摺動可能に挿入されている。したがって、アーム７は開放制限装置本体６に対して軸方向にスライド可能であり、これによって開放制限装置５は伸縮可能なものとなっている。また、アーム７は開放制限装置本体６から所定量外側にスライドした際に、それ以上のスライドが規制され、この状態でアーム７は保持されるようになっている。つまり、開放制限装置５は所定の長さに伸張した際に、その長さに保持されるようになっている。さらに、アーム７は開放制限装置本体６の上面に設けられた押しボタン１０を押下することによって、前記アーム７の保持が解除され、該アーム７を開放制限装置本体６の内側にスライドできるようになっている。つまり、開放制限装置５を短縮できるようになっている。
【００１４】
前記先端部材８は、アーム７の先端部を障子２に着脱可能に取り付けるものであり、以下のように構成されている。
すなわち、まず、先端部材８には、溝１１が形成されており、この溝１１に平板状のアーム７の先端部が挿入されている。アーム７の先端部には孔が形成されており、この孔には先端部材８に内蔵されたピン８ａが相対的に周方向に摺動自在に挿通されている。つまり、アーム７の先端部はピン８ａに回動可能に取り付けられている。したがって、アーム７の先端部には、先端部材８がピン８ａを中心として回転可能に取り付けられている。ピン８ａは軸方向にも摺動可能であり、該ピン８ａは、先端部材８に設けられたシリンダ錠１２に、図示しない専用キーを入れて回すことによって、上昇してアーム７の先端部の孔から外されるようになっている。ピン８ａが外されることにより、アーム７を先端部材８から外すことが可能なる。
【００１５】
先端部材８の溝１１は、室内側が開放された平板状の溝であって、障子２の下框２ｂに沿って延びる面１１ａと室内外方向に延びる面１１ｂとを備えている。そして、アーム７の先端７ａは、円弧状（この例では半円）に形成されており、これにより先端部材８から切り離されたアーム７を復帰する際、アーム７の先端部を溝１１内に挿入し、面１１ａと面１１ｂとにより形成される隅部に先端７ａを突き当てる（先端７ａを面１１ａと面１１ｂとに突き当てる）と、アーム７の先端部の孔がピン８ａを挿通可能な位置に位置するようになっている。つまり、アーム７を溝１１にどの方向から挿入しても、アーム７の先端部の孔がピン８ａを挿通可能な位置に位置するようになっている。なお、溝１１の面１１ａと面１１ｂとは直交している必要はなく、鈍角あるいは鋭角に交わっていてよく、さらに面１１ａと面１１ｂとはアーム７の先端７ａより小さな円弧により結ばれていてもよい。
【００１６】
前記先端部材８の側面には平板状の付座１３が固定されており、この付座１３の下部には、係合部１４が溶接等によって固定されている。この係合部１４は、鈎板状に形成されており、その先端部には係合溝１４ａが形成されている。また、係合部１４は付座１３に対して直角に固定されている。
また、障子２の下框２ｂには、前記係合部１４が係脱可能に係合する被係合部１５が設けられている。この被係合部１５は図４に示すように、下框２ｂに設けられたピン１５であり、このピン１５が前記係合溝１４ａに係脱可能に係合するようになっている。
【００１７】
前記被係合部１５が係合溝１４ａから外れることによって、先端部材８が障子２の下框２ｂから切り離されるが、下框２ｂには、被係合部１５を係合溝１４ａから切り離す切離し機構１６が設けられている。
この切離し機構１６について説明すると、まず、下框２ｂの内部にはその下面側に形成された挿入口から、ケーシング１７が挿入され、このケーシング１７はビス１８によって下框２ｂに固定されている。
ケーシング１７内には、ラック２０がその歯を上方に向けて左右（下框２ｂの長さ方向）にスライド可能に設けられている。また、このラック２０の端部に前記被係合部（ピン）１５が立設されている。
【００１８】
一方、ケーシング１７内にはピニオン２１がラック２０に噛合するようにして配置されており、このピニオン２１の一端面には、嵌合孔２２が形成されている。また、下框２ｂの室外側の側面には、取付プレート２３が固定されており、この取付プレート２３には、外部サムターン（操作部）２４が回転可能に取り付けられている。この外部サムターン２４の回転軸２４ａはピニオン２１の嵌合孔２２に嵌合されている。これによって、ピニオン２１は回転軸２４ａに正逆方向に回転可能に支持されており、外部サムターン２４を回すことによって回転するようになっている。
【００１９】
そして、このような構成の切離し機構１６では、外部サムターン２４を室外側から指で掴んで回すことによって、ピニオン２１が回転し、このピニオン２１の回転によってラック２０が左右（下框２ｂの長さ方向）にスライドし、これによって被係合部１５が左右に移動する。図４において、被係合部１５が最も右側に移動することによって、係合溝１４ａに係合し、被係合部１５が左側に移動することによって、係合溝１４ａから外れていき、最も左側に移動することによって、被係合部１５が係合溝１４ａから完全に外れるようになっている。これによって、開放制限装置５の先端部材８が障子２の下框２ｂからり切離されるのである。
【００２０】
また、図１に示すように、障子２の縦框２ｄには、室内側の側面にハンドル２６が設けられており、このハンドル２６を回すことによって、障子２を外側に開くことができるようになっている。縦框２ｄの室外側の側面には、外部サムターン２７が設けられており、この外部サムターン２７を室外側から回すことによって、室内のハンドル２６が回って、障子２を外側に開くことができるようになっている。
【００２１】
上記のような開口部装置では、通常使用時は図６（ａ）に示すように、室内側からハンドル２６を回して、障子２を外側に開くと、開放制限装置５が軸９ａ回りに回動しつつ、所定の長さに伸張した際にその長さに保持され、これによって、障子２の開放量が上記のように約１００ｍｍ程度に制限される。また、障子２を閉める際には、押しボタン１０を押下して前記制限を解除することによって、開放制限装置５が短縮可能となるので、該障子２２を引込むことによって閉じることができる。
【００２２】
また、開口部装置のメンテナンス作業時には、前記シリンダ錠１２に、専用キーを入れて回すことによって、アーム７を先端部材８から外すことができる。アーム７を外したうえで、障子２を外側に開くと、連結アーム４が、軸４ａを中心として水平面内で回動するとともに、連結アーム４の他端部が障子２の下枠２ｂに、その長手方向に沿ってスライドし、障子２が室外側に９０°開いた際に、前記スライドが規制されて、障子２のそれ以上の開きが規制される。このように障子２が９０°に大きく開くのでメンテナンス作業を容易に行うことがきる。
【００２３】
さらに、火災等の非常時には、消防隊員等が室外側から外部サムターン２４，２７を回転する。なお、障子２が完全に閉じている場合には外部サムターン２４，２７の双方を回し、障子２が開放制限装置５によって開放量を制限された状態で開いている場合には外部サムターン２４のみを回す。
外部サムターン２４を回すと、ピニオン２１が回転し、このピニオン２１の回転によってラック２０が左右（下框２ｂの長さ方向）にスライドし、これによって被係合部１５が左に移動する。被係合部１５が左側に移動することによって、係合溝１４ａから外れていき、最も左側に移動することによって、被係合部１５が係合溝１４ａから完全に外れる。これによって、図６（ｂ）に示すように、開放制限装置５の先端部材８が障子２の下框２ｂから切り離されるので、障子２の室外側への開放量の制限を容易に解除できる。
【００２４】
なお、本実施の形態では、係合部１４の係合溝１４ａに、被係合部１５を係脱可能に係合したが、これに加えて、図７に示すように、係合溝１４ａの内面に、傾斜面１４ｂからなる引寄せ部１４ｂを形成してもよい。このように引寄せ部１４ｂを形成すると、係合部１４の係合溝１４ａにピン状の被係合部１５を左側から右側に向けて係合していくことによって、被係合部１５が引寄せ部１４ｂを、図７において上方に押圧する。これによって、開放制限装置５の先端部部材８の付座１３が障子２の下框２ｂの側面に引き寄せられるので、該付座１３が下框２ｂの側面にガタツクことなく当接し、これによって、障子２のガタツキを防止できる。
【００２５】
また、本実施の形態では、切離し機構１６をラック＆ピニオン機構を利用して構成したが、これに限ることはない。要は、障子２の室外側の部位に設けたサムターン等の操作部によって、開放制限装置５の先端部材８が障子２から切離せるような機構であればよい。
さらに、本実施の形態では、開放制限装置５を枠体１の下枠１ｂと障子２の下框２ｂとに連結したが、これに替えて、開放制限装置５を枠体１の縦枠１ｄと障子２の縦框２ｄとに連結したり、枠体１の上枠１ａと障子２の上框２ａとに連結してもよい。
加えて、本実施の形態では、本発明を鉛直軸回りに回転して開く開き窓に適用した場合を例にとって説明したが、本発明を滑り出し窓や、水平軸回りに回転して開く開き窓や滑り出し窓に適用してもよい。
【図面の簡単な説明】
【００２６】
【図１】本発明に係る開口部装置の一例を示すもので、開口部装置の室内側からの正面図である。
【図２】同、開口部装置の障子を開放制限装置とともに示す平面図である。
【図３】同、開放制限装置を示すもので、（ａ）は平面図、（ｂ）は正面図、（ｃ）は側面図である。
【図４】同、切離し機構を示すもので、（ａ）は平面図、（ｂ）は正面図である。
【図５】同、（ａ）は図４におけるＡ−Ａ線断面図、（ｂ）は図４におけるＢ−Ｂ線断面図である。
【図６】同、開口部装置の障子を開放制限装置とともに示す平面図であり、（ａ）は障子が閉じた状態から所定量だけ開放される場合を示す図、（ｂ）は障子が所定量だけ開放された状態から切離される場合を示す図である。
【図７】同、開放制限装置の他の例を示す平面図である。
【符号の説明】
【００２７】
１  枠体
２  障子
５  開放制限装置
８  先端部材
１４  係合部
１４ａ  係合溝
１４ｂ  引寄せ部
１５  被係合部
１６  切離し機構
２４  外部サムターン（操作部）
【図１】
2007162302.tif 000003
【図２】
2007162302.tif 000004
【図３】
2007162302.tif 000005
【図４】
2007162302.tif 000006
【図５】
2007162302.tif 000007
【図６】
2007162302.tif 000008
【図７】
2007162302.tif 000009